(57)【要約】【課題】  本発明は表示パネルを一体化した縦型デスクトップコンピュータの新しい形を提案するものである。このコンピュータ本体はＢＴＯ型と呼ばれ、使用者自身の自作が容易なことを特長としている。このコンピュータ本体を表示パネルと一体化し、スペース効率が良い上、輸送時の効率の良い、耐震性に強い表示パネル支持台付き縦型デスクトップコンュータを提供する。  【解決手段】  縦型デスクトップコンピュータ本体の外表面の最も大きな面を前面とし、コンピュータ本体の下に前方に開口したケース収納部を設け、前記ケース収納部の中に前面から引出しケースの全体または引出しケースの一面を収納、引き出して表示パネルを載置する支持台とすることにより、表示パネルとコンピュータ本体を一体化したことを特長とした表示パネル支持台付き縦型デスクトップコンピュータを提供する。  【選択図】    図１
2009134702.tif 000002
【特許請求の範囲】
【請求項１】
縦型デスクトップコンピュータ本体と前記本体の情報を表示する表示パネルと表示パネルを立てて載置する引出しケースとで構成したデスクトップコンピュータにおいて、前記表示パネルはフラットパネル型であり、コンピュータ本体の外表面の最も大きな面を前面とし、コンピュータ本体の下に前方に開口したケース収納部を設け、前記ケース収納部の中に前面から引出しケースの全体または引出しケースの一面を収納、引き出し自在とし、収納部には前記引出しケースを所望の引出し長さで固定する固定装置を具備し、前記引出しケースの上面前縁部は立てて載置する表示パネルの滑落防止具を具備した支持台とし、前記引出しケース内にはコンピュータの周辺機器や操作部を内蔵し、前記引出しケース前縁下部には引出しケースと表示パネルの重さを机上で支える支持脚を具備し、コンピュータ本体上辺部には表示パネル上辺部とを係止する係止手段を有したことを特長とする表示パネル支持台付きデスクトップコンピュータ。
【請求項２】
縦型デスクトップコンピュータ本体と前記本体の情報を表示する表示パネルと表示パネルを立てて載置する引出しケースとで構成したデスクトップコンピュータにおいて、前記表示パネルはフラットパネル型であり、コンピュータ本体の外表面の最も大きな面を前面とし、コンピュータ本体内下部に前方に開口したケース収納部を設けたことを特長とする請求項１記載の表示パネル支持台付きデスクトップコンピュータ。
【請求項３】
上記記載の引出しケースか収納部かあるいはコンピュータ本体の左右両側面下部に、上面に表示パネルを立設、載置可能に、滑落防止具を具備した支持具を取り付け、前記支持具に絵や切り抜きや電気的仕様を施したことを特長とする請求項１，２記載の表示パネル支持台付き縦型デスクトップコンピュータ。
【発明の詳細な説明】
【技術分野】
【０００１】
本発明は、表示パネルと一体となった縦型デスクトップコンピュータの新しい形を提案する。
本発明は縦型デスクトップコンピュータ本体と表示パネルを一体化して机上のスペース効率を良くし、耐震性を強くし、その上ケース体積を増やすことなく輸送できる縦型デスクトップコンピュータを提供する。
本発明は、ＢＴＯ型として規格化され、顧客が自分仕様で自作したり、短納期で製造され普及している縦型デスクトップコンピュータに関するもので、表示パネルが大きくなる程スペース効率が上がり、耐震性が強化される縦型デスクトップコンピュータを提供する。
【背景技術】
【０００２】
図６は、従来の縦型デスクトップコンピュータ本体と表示装置が横に並んでいる配置を示し、２５は４０リットル前後の容積の縦型のデスクトップコンピュータ本体、２３は表示パネルで、重いスタンド２４で支持されている。デスクトップ用の表示パネルはノートパソコンより大きい場合が多く、今後益々大型化していく傾向にある。
この縦型デスクトップコンピュータ本体は、ＢＴＯ型として規格化され、顧客の仕様で製造したり、使用者自身が作ったりでき、性能の進歩した部品に後で交換し易い利点があり、大量生産されている。
一方スペース効率が悪く、冷却用ファン騒音が大きい場合や机上が狭い場合は、本体を机の下に置くが、後部にコネクタがあり、結線が大変煩わしく、床の埃を吸い込み易い欠点があった。
【０００３】
また地震時の耐震性は規格としてＩＥＣ６０９５０があり、底面幅に対する高さ比を２．５以内で決めているが、脚が縁より内側に付いているため実効巾が狭く、耐震性が十分とは言えず、スタンドで立て掛けている表示装置も含め、倒壊しない余裕のある形が求められていた。
【０００４】
また、コンピュータ本体の前面に表示装置が設置され、回動しているコンピュータは公知である。
【特許文献１】特開平４−１２３２１８公報
【特許文献２】特開２００２−３１２０６５公報
【特許文献３】特開２００５−２６７６６１公報
【０００５】
また、コンピュータ本体前面に表示パネルを搭載する、或いは回動可能に吊り下げ、表示面の角度調整が出来、移動時は、はめ込んで、移動し易いように構成した携帯式デスクトップコンピュータも公知である。
【特許文献４】実登３０４４１７７公報
【特許文献５】実登３０４９０５８公報
【０００６】
また、コンピュータ本体を横型にした本体の上に、表示パネルの支持構造を構築し、本体と回動可能な表示パネルが一体となった物も使用されている。この場合表示パネルの下の高さが１５センチメートル以上になり、使用していると目の上下の動きが大きくなり、目が疲れやすいと言われている。
また、上記のように表示パネルの回動、吊り下げ支持方法では構造が複雑で、表示パネルの交換、増設は難しく、表示パネルを大型に交換できない欠点があった。
また、表示パネルを大型にすると横に幅広いので、コンピュータ本体は机の隅の方に置くことになり、周辺機器に手が届きにくく、操作がしにくかった。
【発明の開示】
【発明が解決しようとする課題】
【０００７】
前記のようにスペース効率の改善、耐震性の向上、コネクタを接続し易くする、表示パネルを交換し易くする、などが解決すべき課題である。しかしながら、これらの点を解決したとき輸送時体積が大きくなってしまっては流通に不便であり、コストアップとなってしまうので、輸送時の体積が大きくならないことが解決すべき課題である。図８は縦型デスクトップコンピュータ２５と表示パネル２３の現状の配置を示したもので、表示パネル２３が２０型以上と横に大きくなってくると、スタンド２４が重く、広くなり、スペース効率が悪く、机を広く使う為と、本体のファン騒音を避ける為に、本体を机の下に置くと、接続、保守が大変不便であった。また、移動時はコンピュータ本体と表示パネルを別々に運ぶなどの煩わしさがあった。また背景技術で述べたように、縦型コンピュータ、表示パネルともに耐震性が十分とは言えなかった。即ち表示パネルとコンピュータ本体を一体化してスペース効率と耐震性を改善する必要があり、解決すべき課題である。
【０００８】
また、前記した従来の表示パネルを回動、吊り下げで保持する方式では表示パネルが大型化して重くなると、表示パネル側、コンピュータ本体側共、取り付ける金具が堅固な物でないと表示パネルを支えられず、重量バランスが悪く、コスト高となった。また表示パネルを大型のものに変更する場合、スタンドと共に変えなければならず、資源の無駄があった。即ち表示パネルを大型に変更することが容易に出来ることが課題である。
【０００９】
また、横に寝かせ外表面の面積が大きい面を上に向けた横型コンピュータの上に表示パネルの支持構造を構築した場合、コンピュータの厚さ分表示パネルが高くなり、表示パネルとキーボードの上下視差が大きくなって目が疲れ易く、スペース効率も悪いなどの欠点があった。即ち表示パネルを載置する台は薄くして、前記上下視差を小さくすることも課題である。
【００１０】
また、スタンド型表示パネルの裏に小型コンピュータを取り付けたものが業務用では増えてきているが、部品の組み立て、交換が難しく、表示装置を大型に交換しにくいなど自作市場向きではなく、その上耐震対策が十分ではなかった。
【課題を解決するための手段】
【００１１】
請求項１記載の発明は縦型デスクトップコンピュータ本体と前記本体の情報を表示する表示パネルと表示パネルを立てて載置する引出しケースとで構成したデスクトップコンピュータにおいて、前記表示パネルはフラットパネル型であり、コンピュータ本体の外表面の最も大きな面を前面とし、コンピュータ本体の下に前方に開口したケース収納部を設け、前記ケース収納部の中に前面から引出しケースの全体または引出しケースの一面を収納、引き出し自在とし、収納部には前記引出しケースを所望の引出し長さで固定する固定装置を具備し、前記引出しケースの上面前縁部は立てて載置する表示パネルの滑落防止具を具備した支持台とし、前記引出しケース内にはコンピュータの周辺機器や操作部を内蔵し、前記引出しケース前縁下部には引出しケースと表示パネルの重さを机上で支える支持脚を具備し、コンピュータ本体上辺部には表示パネル上辺部とを係止する係止手段を有したことを特長とする表示パネル支持台付きデスクトップコンピュータである。
【００１２】
請求項２記載の発明は縦型デスクトップコンピュータ本体と前記本体の情報を表示する表示パネルと表示パネルを立てて載置する引出しケースとで構成したデスクトップコンピュータにおいて、前記表示パネルはフラットパネル型であり、コンピュータ本体の外表面の最も大きな面を前面とし、コンピュータ本体内下部に前方に開口したケース収納部を設けたことを特長とする請求項１記載の表示パネル支持台付きデスクトップコンピュータである。
【００１３】
請求項３記載の発明は上記記載の引出しケースか収納部かあるいはコンピュータ本体の左右両側面下部に、上面に表示パネルを立設、載置可能に、滑落防止具を具備した支持具を取り付け、前記支持具に絵や切り抜きや電気的仕様を施したことを特長とする請求項１，２記載の表示パネル支持台付き縦型デスクトップコンピュータである。
【発明の効果】
【００１４】
前述の様に、本発明は縦型デスクトップコンピュータ本体と表示パネルを一体化し、スペース効率を高めると同時に小型周辺機器を使用者の正面に配置出来て使い易く、その上この表示パネル支持台は引出し構造で、輸送時はコンピュータ本体の巾内に収納して輸送できるため、輸送効率が非常に良くなった。また表示パネルは支持台の前縁部上面や左右両側面に取り付けた支持具上に立てて載置し、上部は本体側に傾け、係止するだけという簡易な構造で一体化され、大型表示パネルへの交換が容易となった。試作機の机上の占有面積は一体化していない場合に比べ２６パーセントの減少となった。
また表示パネルの支持台の引出し長さを調節し、固定することにより表示装置の表示面角度を適度に調節して使用できる。
【００１５】
また前部支持台へ載置した表示パネルの重量（試作機で８キログラム）と後部コンピュータ本体（試作機で８キログラム）の重量バランスが良く配置され、底面巾が広くなった事と合わせ、地震に対する耐震性も大幅に改善され倒壊の危険が減った。コンピュータ本体の地震時の耐震性規格としてＩＥＣ６０９５０規格では高さ／底面幅の比を２．５以内としている。一般のＢＴＯ型デスクトップコンピュータの大きさは色々あるが、横幅を２０センチメートル、高さを４５センチメートルとして比を２．２５としてＩＥＣ規格より１０パーセント低い値に設定されている例が多い。実際には底面のゴム脚が内側に取り付けられており、横の実効幅が狭くなって耐震性指数に余裕がない場合が多い。本実施例では底面奥行き２９センチメートル、高さは４５センチメートルで、耐震性指数は１．６となってＩＥＣ規格に対して３６パーセント低い値に改善が図られた。
また表示パネルを大型のものに変更しようとしても、従来の表示パネルのスタンド型支持構造ではスタンドも交換しなければならないし、コンピュータ本体に回動構造で取り付けられている場合には、大型表示パネルへの交換が不可能であった。本発明においては表示パネルを交換する場合、スタンド無しで容易に交換出来、安価になっている大型表示パネルを用いた縦型デスクトップコンピュータの普及に貢献できる。また引出しケース上部や左右両側面の支持具に表示パネルの横幅より長い溝付きレールを渡せば、表示パネルの増設や資料立てを簡単に構成できる利点がある。
【００１６】
また、パーソナルコンピュータは入力装置と表示パネルを交互に見る回数が多いので、上下視差を小さくする必要があるが、本発明の引出しケース内には、コンピュータの主回路基板は搭載されず、光ディスクドライブやハードディスクドライブ、ＩＣメモリー、カードアダプタなど薄型の周辺機器が内臓され、薄くできるので表示パネルの設置高さを低くして上下視差を小さく出来、目の健康にも良い利点がある。
また、コンピュータはファンの回転で、騒音を発生させているが、本発明では表示パネルを大きくした場合、遮音壁となり、耳への騒音が減るなどの効果がある。
【発明を実施するための最良の形態】
【００１７】
本発明の実施の形態について図を参照して、以下に説明する。
図1乃至図７は本発明の実施の形態例である。
【実施例１】
【００１８】
図１は本発明の実施例１を示す側面図で、コンピュータ本体１の下にケース収納部４を取り付けた実施例で、（ａ）は側面図であり、（ｂ）は正面図である。
縦型デスクトップコンピュータ本体１の内部に中央処理装置を取り付けた主回路基板２が有り、手前の側面に外部機器と接続するコネクタ類３が取り付けられ、反対側側面には周辺機器や操作部５を出し入れ自由に配置している。コンピュータ本体１の下にはケース収納部４を取り付ける。前記ケース収納部４は前方に開口しており、この中に引出しケース２０が収納、引き出し自在に内蔵され、前方に引き出されて締め付けネジ６で、ケース収納部４に固定されている。この実施例では前記ケース収納部４がコンピュータ本体の台座部の役割をしている。
【００１９】
引出しケース２０には使用頻度の高いＤＶＤやＩＣメモリーなどの周辺機器、電源スイッチなどの操作部５が内蔵されている。前記引出しケース２０の上面前縁部には表示パネル８が滑って落ちるのを防ぐ為、滑落防止板１８が取り付けられ、上面に表示パネル８を立てて載置する。また引出しケース２０の前縁下部には机上との間に板状の支持脚１９がコンピュータ本体と高さを合わせるよう調整して取り付けられ、装置の前方部荷重を支えている。この脚の位置は最前部がよく、後方になるほど不安定となりやすい。またコンピュータ本体１の前面側ケースは後方に倒れているが、直角でも良い。前記引出しケース２０の上面前縁部は重い表示パネルが載るため、弾性クッション材を敷いても良い。前記引出しケース２０には、上記の他にコンピュータと別電源で動作する無線受信機や録画機が入っていても良い。
【００２０】
コンピュータ本体上部には表示パネルが前に倒れないように、表示が見易い角度になるように調節、固定するための保持具を設置する。
図１（ａ）の前記コンピュータ本体上部保持具の実施例について説明すると、表示パネル８の上縁を挟み込む保持金具１２の内側で挟み込み用金具板１５がネジ１４で表示パネル８に押し付けられ、挟み込んでいる。保持金具１２は回転、曲げ可能な連結棒１０につながり、コンピュータ本体上に取り付けた取手１３の中を貫通している。連結棒１０は取手の上に設けたネジ１１で絞めて固定される。この使用方法は、連結棒１０を前に押し出して固定すると表示パネルは前に倒れて表示面角度をより垂直に近くなるように調節できる。また表示パネルが前に倒れるのを防ぐ効果もある。
【００２１】
本発明の実施例１は以上のような構造で、これを使用するときはコンピュータ本体下にケース収納部４を固定し、前記ケース収納部４から引出しケース２０を前面に引き出してケース収納部にネジ６締めて固定する。次に引出しケース前縁部に表示パネル８を載せ、保持金具１２を付けずコンピュータ側に倒し、表示角度を所望の角度より若干後に大きく、左右同じになるように引出しケース２０の引出し長さを調節し固定する。次に実際に使う姿勢で所望の表示面角度になるように保持金具１２をはめ、ネジ１４で板１５を締めて、連結棒１０を前後に調節してネジ１１を締め、表示面角度を固定して使用する。
【実施例２】
【００２２】
図２は本発明の実施例２で、コンピュータ本体底部に引出しケースを取り付けた実施例で、（ａ）は側面図、（ｂ）は正面図である。デスクトップコンピュータ本体１の底部を仕切り板２９で仕切り、下部空間に引出しケース２０を収納、引き出して本体下部側面にネジ６で締めて固定したもので、引出しケース２０の役割は図１の引出しケース２０と同じである。引出しケース前方部の荷重を支える支持脚１９は本体１に収納し易くするため、薄いものを前方に取り付けても良い。表示パネル８はコンピュータ本体１に寄り掛けている。また、前に倒れないようにコンピュータ本体上部に取り付けた固定端子２７に表示パネル上部にかけた糸２８を係止しても良い。表示パネル８の表示面角度を変える場合は引出しケース２０を引き出す長さを変えて行う。正面図ではコンピュータ本体１より表示パネル８が大きく、前方からコンピュータ本体１の操作はしにくいので、よく使う周辺機器や操作部５は引出しケース２０に搭載して使用する。
【実施例３】
【００２３】
図３は本発明の実施例３で、表示パネル８を本体両側面に取り付けた支持具７の上に立てて載置した例で、（ａ）は側面図、（ｂ）は正面図で、右側の詳細を省略した図面である。支持具７は板状で上部に表示パネルの載置面と前縁上部に滑落防止具１８があり、金具板１６で本体両側面に前後に移動可能に挟まれ、表示面の表示角度を調節後ネジ１７で締めて固定する。この支持具７は表示パネル８の荷重がかかる点よりも前方部が机上面に接していることが必要である。実施例では支持具７は上からの荷重でねじ１７を中心に若干上下に回動し、表示パネル８の荷重を支持具最前部下で受けるようにしている。また支持具７の形状は上記注意点を守れば自由な形に可能であり、家庭向けの形状も考えられる。
【００２４】
図３ではコンピュータ本体下部は張り出しケース２０が固定されているが、この場合、表示面角度の調整は支持具７を前後に移動して行うことができる。また表示パネル８の上部はコンピュータ本体上部側面に図１と同じ方法で固定されている。この場合は固定ポイントを取手１３でなく、コンピュータ本体側面に取り付けた回動可能な貫通軸支固定金具９とした例で、連結棒１０は貫通軸支固定金具９を貫通し、固定ネジ１１を締めることで連結棒１０が固定されている。連結棒１０を前後に動かせば表示パネル８の表示面角度を調整することができる。
【実施例４】
【００２５】
図４は本発明の実施例４で、コンピュータ本体下部に設けた引出しケースの実施例で、下部のみを書いた図面である。コンピュータ本体１の下部は４本の長い支持脚２９で空間を形成し、コンピュータ本体下の底板の下面にケース収納部４を取り付けている。このケース収納部４は凹状の板材で底板との間に前方が開口した空間を形成している。この空間に引出しケース２０の上面の板状部分を前方から挿入し、ケース収納部４の側面からネジ６で絞めて固定する。引出しケース２０の前縁部は表示パネル８の支持台となり、上面前縁部には表示パネル８の滑落防止具１８を具備している。引出しケース２０の前面は下方に曲げて実施例１の引出しケース２０と同じ役割をし、内部に周辺機器や操作部５を設置して使用する。また前面下部は机上に接して支持脚の役割をしている。
【実施例５】
【００２６】
図５は本発明の実施例５で、コンピュータ本体内下部の引出しケースの実施例である。コンピュータ本体１は主回路基板が入った上部分の下に仕切り板２６を取り付け、仕切り板２６より下部を前に開いた空間とする。この仕切り板２６の下面に凹状の板材で底板との間に前方が開いたケース収納部４を取り付ける。このケース収納部４は前記実施例４のケース収納部４と同じ働きのもので、引出しケース２０の上面板を収納する。引出しケース２０をコンピュータ本体１に収納の時は引出しケース２０の前縁下方の脚１９を取ればコンピュータ本体底部に収納可能である。
【実施例６】
【００２７】
図６は本発明の実施例６で、実施例１で説明した本体上部の表示パネル保持具部分の拡大図である。連結棒１０を前方に押してネジ１１で絞めて固定すれば、表示面は垂直に近くなり、表示面角度の調整ができる。表示面角度の調整を引出しケース２０の引出し長さや支持具７の調節で行う場合は表示パネル８の上部をコンピュータ本体に寄りかけ、表示パネル８と取手１３を紐やワイヤーで係止して、表示パネル８が前に倒れないようにするだけで良いので、保持具を構成している１０、１１、１２、１４は必要ない。
【実施例７】
【００２８】
図７は本発明の実施例７で、実施例３で説明した支持具７の形状を家庭向きにした例で、上部に表示パネル８を載置するための滑落防止具１８を有し、スフィンクスの顔をイメージした切り形にした板状のもので、目には発光ダイオード２１、脚にはタッチスイッチ    ２２をつけ、家庭用品に近づけたものである。コンピュータ本体１の状態表示を眼の色や輝きで表現しても興味がわく。またＵＳＢソケットを取り付けても良い。
【図面の簡単な説明】
【００２９】
【図１】本発明の側面図
【図２】本発明の側面図と正面図
【図３】本発明の側面図と正面図
【図４】本発明の側面図
【図５】本発明の側面図
【図６】本発明の斜視図
【図７】本発明の支持具の側面図
【図８】従来の縦型デスクトップコンピュータの斜視配置図
【符号の説明】
【００３０】
１    縦型デスクトップコンピュータ本体
２    マザーボード
３    コネクタ
４    ケース収納部
５    周辺機器及び操作部
６    ネジ
７    支持具
８    表示パネル
９    貫通軸支固定金具                        
１０  連結棒
１１  ネジ
１２  保持金具
１３  取手
１４  ネジ
１５  挟み込み用金具板
１６  金具板
１７  ネジ
１８  滑落防止具
１９  支持脚
２０  引出しケース
２１  発光ダイオード
２２  スイッチ
２３  表示パネル
２４  スタンド
２５  ＢＴＯ型デスクトップコンピュータ
２６  仕切り板
２７  固定端子
２８  糸
２９  支持脚
【図１】
2009134702.tif 000003
【図２】
2009134702.tif 000004
【図３】
2009134702.tif 000005
【図４】
2009134702.tif 000006
【図５】
2009134702.tif 000007
【図６】
2009134702.tif 000008
【図７】
2009134702.tif 000009
【図８】
2009134702.tif 000010